(57)【特許請求の範囲】
【請求項１】
フレキシブルプリント配線板が挿入されるハウジングと、ハウジング内に挿入されるフレキシブルプリント配線板の表面に露出した導体パターンに弾接する接点部を有する複数のコンタクトと、ハウジング内に挿入されたフレキシブルプリント配線板を接点部側に押圧する位置と押圧しない位置との間でハウジングに対して起伏自在としたレバーとを備え、レバーは、ハウジングに枢着される側の端部に形成された複数のカム部とレバーにおける当該カム部の並設方向の両端から突出した２つの枢支軸とを有し、枢支軸がハウジングに配設された軸受部に載置されるとともにコンタクトにおいてハウジングに対してフレキシブルプリント配線板の挿入方向における奥に配設された部位から延出して形成された枢支部がカム部に係合することによって枢支されるものであって、レバーは倒した状態でフレキシブルプリント配線板の挿入方向に沿ってハウジング内へ挿入されて枢着されるものであって、レバー挿入時にレバーに形成されたカム部と接点部とが接触しないようにレバーを案内するガイドリブがハウジングに設けられてなることを特徴とするコネクタ。
【発明の詳細な説明】
【技術分野】
【０００１】
本発明は、フレキシブルプリント配線板（ＦＰＣ：Ｆｌｅｘｉｂｌｅ  Ｐｒｉｎｔｅｄ  Ｃｉｒｃｕｉｔ：ＦＰＣ）が接続されるコネクタに関するものである。
【背景技術】
【０００２】
従来から、ＦＰＣが接続されるコネクタ（ＦＰＣ用コネクタ）として、図８，９に示すように、ＦＰＣ２が挿入されるハウジング３’と、ハウジング３’に所定の間隔で保持されＦＰＣの表面の導体パターンに弾接する第１接点部４ａ’を有する複数の第１コンタクト４’および第２接点部５ａ’を有する複数の第２コンタクト５’とを備え、各コンタクト４’，５’がハウジング３’内でハウジング３’の長手方向において交互に配列され、ＦＰＣの導体パターンと、対応する各コンタクト４’，５’の各接点部４ａ’，５ａ’とを圧接させるためのレバー（アクチュエータ）６’を備えたコネクタ１’が提案されている（特許文献１参照）。
【０００３】
ところで、図８に示した構成のコネクタ１’では、レバー６’の長手方向の両端に突出した枢支軸６ａ’がハウジング３’の軸受部３ｃ’に載置されるとともにレバー６’に形成されたカム部（図示せず）に第１コンタクト４’および第２コンタクト５’のうちハウジング３’へのＦＰＣの挿入方向におけるハウジング３’の奥に配設された部位から延出して形成された枢支部４ｂ’，５ｂ’が係合することによりレバー６が枢支され、レバー６’を枢支軸６ａ’回りに回動自在とすることで、レバー６’は、ハウジング３’に対してＦＰＣ２を押圧する位置と押圧しない位置との間で起伏自在に取り付けられている。ここで、図９に示すように、レバー６’を起こしたときに、第２枢支部５ｂ’を係合するためにレバー６’に形成された溝６ｅ’の内側縁部が第２枢支部５ｂ’の一部と当接することによりレバー６’の回動が規制されて、レバー６’の回動範囲が十分に得られずに、ＦＰＣの挿入作業性が悪くなることがあった。
【０００４】
これに対して、レバーの回動範囲を大きくしたコネクタとして、図１０に示すようなコネクタ１”が提案されている。図１０に示すコネクタ１”は、ＦＰＣ（図示せず）が挿入される合成樹脂製のハウジング３”を備え、ＦＰＣの表面の導体パターン（図示せず）に弾接する第１接点部（図示せず）を有する複数の第１コンタクト４”と、第２接点部５ａ”を有する複数の第２コンタクト５”とがハウジング３”内でハウジング３”の長手方向において交互に配列されており、レバー６”の端部には、第１コンタクト４”および第２コンタクト５”においてハウジング３”へのＦＰＣの挿入方向におけるハウジング３”の奥に配設された部位から延出して形成されレバー６”を枢支する第１枢支部４ｂ”および第２枢支部５ｂ”が挿入される第１貫通孔６ｂ”および第２貫通孔６ｅ”が貫設されている。
【０００５】
ここで、第１枢支部４ｂ”と第２枢支部５ｂ”とはハウジング３”の長手方向に略一列に配置されており、第１接点部は第１枢支部４ｂ”よりもハウジング３”へのＦＰＣの挿入方向とは反対方向に所定の距離だけ離して配置され、一方、第２接点部５ａ”は第２枢支部５ｂ”よりもハウジング３”へのＦＰＣの挿入方向に所定の距離だけ離して配置されている。また、レバー６”の厚さは、第２貫通孔６ｅ”の周辺部分が他の部分よりも厚く形成され、ＦＰＣを接点部側へ押圧するＦＰＣ押圧部６ｈ”を構成している。また、レバー６”の端縁と第１貫通孔６ｂ”および第２貫通孔６ｅ”との間に第１カム部（図示せず）および第２カム部６ｆ”が形成されており、レバー６”の長手方向の両端に突出した枢支軸６ａ”，６ａ”が軸受部３ｃ”，３ｃ”に載置されるとともに第１枢支部４ｂ”が第１カム部に係合することでレバー６”がハウジング３”に対して回動自在に支持され、レバー６”がハウジング３”に対してＦＰＣ２を押圧する位置と押圧しない位置との間で起伏自在となっている。ここで、レバー６”がＦＰＣ２を押圧しない位置に起こすとともに第２貫通孔６ｅ”に第２枢支部５ｂ”が挿通されるようになっているので、上述のコネクタ１’に比べてレバー６”の回動範囲を十分に得られるようになっている。
【特許文献１】特開２００１−１１０４８３号公報
【発明の開示】
【発明が解決しようとする課題】
【０００６】
しかしながら、図１０に示す構成のコネクタ１”では、レバー６”の厚さは第２貫通孔６ｅ”および第２カム部が形成されたＦＰＣ押圧部６ｈ”が他の部分に比べて厚くなるように形成されているので、例えば、レバー６”が合成樹脂製のときに、レバー６”を倒した状態でハウジング３”に対してＦＰＣの挿入方向に沿って挿入して組み付ける際に、レバー６”のＦＰＣ押圧部６ｈ”に形成された第２カム部６ｆ”が第２コンタクト５”の第２接点部５ａ”に接触し、第２カム部６ｆ”が削られることで、導電性材料により形成された第２コンタクト５”の第２接点部５ａ”に樹脂粉が付着してしまい、ＦＰＣを挿入したときにＦＰＣの導体パターンと第２接点部５ａ”とが接触不良を起こす可能性があった。
【０００７】
本願の発明は、上記事由に鑑みてなされたものであり、その目的は、レバーをハウジングに組み付ける際にレバーがコンタクトの接点部に接触するのを防止するので、コンタクトの接点部に異物が付着することが無く、接続信頼性の高いコネクタを提供することにある。
【課題を解決するための手段】
【０００８】
請求項１の発明は、フレキシブルプリント配線板が挿入されるハウジングと、ハウジング内に挿入されるフレキシブルプリント配線板の表面に露出した導体パターンに弾接する接点部を有する複数のコンタクトと、ハウジング内に挿入されたフレキシブルプリント配線板を接点部側に押圧する位置と押圧しない位置との間でハウジングに対して起伏自在としたレバーとを備え、レバーは、ハウジングに枢着される側の端部に形成された複数のカム部とレバーにおける当該カム部の並設方向の両端から突出した２つの枢支軸とを有し、枢支軸がハウジングに配設された軸受部に載置されるとともにコンタクトにおいてハウジングに対してフレキシブルプリント配線板の挿入方向における奥に配設された部位から延出して形成された枢支部がカム部に係合することによって枢支されるものであって、レバーは倒した状態でフレキシブルプリント配線板の挿入方向に沿ってハウジング内へ挿入されて枢着されるものであって、レバー挿入時にレバーに形成されたカム部と接点部とが接触しないようにレバーを案内するガイドリブがハウジングに設けられてなることを特徴とする。
【０００９】
この発明によれば、レバーをハウジングへのフレキシブルプリント配線板の挿入方向に沿ってハウジングへ挿入するときに、ハウジングに設けられたガイドリブがレバーと接点部とが接触しないようにレバーが枢着される位置までレバーを案内することにより、レバーに形成されたカム部がコンタクトの接点部に接触するのを防止するので、レバーをハウジングに組み付ける際に当該接点部にレバーの接触により発生した異物が付着することが無く、コネクタの接続信頼性を向上させることができる。
【発明の効果】
【００１０】
請求項１の発明によれば、レバーをハウジングに組み付けるに当たって、レバーをハウジングへのフレキシブルプリント配線板の挿入方向に沿ってハウジングへ挿入するときに、レバーがコンタクトの接点部に接触するのを防止するので、当該接点部に異物が付着することが無く、コネクタの接続信頼性を向上させることができる。
【発明を実施するための最良の形態】
【００１１】
以下、本実施形態のコネクタ１について図１乃至図７に基づいて説明する。
【００１２】
本実施形態のコネクタ１は、ＦＰＣ２が挿入される合成樹脂製のハウジング３と、ＦＰＣ２の表面に露出した導体パターン（図示せず）に弾接する接点部４ａ，５ａを有する複数の導電性のコンタクト４，５と、ハウジング３内に挿入されたＦＰＣ２を第１接点部４ａおよび第２接点部５ａ側に押圧する位置と押圧しない位置との間でハウジング３に対して起伏自在となるように枢支されたレバー６とを備えている。ここにおいて、レバー６は、長手方向の両端に突出した枢支軸６ａ，６ａがハウジング３に配設された後述の補強用金具３０，３０の軸受け部３ｃ，３ｃに載置されるとともにコンタクト４のうちハウジング３へのＦＰＣ２の挿入方向におけるハウジング３の奥に配設された部位から延出して形成された第１枢支部４ｂがレバー６に設けられた後述の第１カム部６ｃに係合することで枢支されている。以下、ハウジング３に配設された状態で、ハウジング３へのＦＰＣ２の挿入方向において手前側に位置する第１接点部４ａを有するコンタクト４を第１コンタクト４と、第１接点部４ａよりも奥側に位置する第２接点部５ａを有するコンタクト５を第２コンタクト５として説明する。なお、ＦＰＣ２の表面には、複数の導体パターン（図示せず）が等間隔で配列している。
【００１３】
また、ハウジング３には、長手方向に沿ってＦＰＣ２を受けるＦＰＣ受入部３ａが形成されている。
【００１４】
以下、図５，６の左右方向を前後方向として、上下方向を上下方向として説明する。
【００１５】
ハウジング３の上壁３ｇは、ハウジング３の前方から略半分を切り欠くことにより上方開口部３ｂが形成されており、上方開口部３ｂには上述のレバー６が配置される。
【００１６】
また、ハウジング３には、第１コンタクト４を後方から挿入するための複数の第１の孔３ｅと、第２コンタクト５をハウジング３に対して前方から挿入するための複数の第２の孔３ｆとがハウジング３の長手方向に沿って所定の間隔で交互に設けられている。従って、第１コンタクト４が第１の孔３ｅに挿入され、第２コンタクト５が第２の孔３ｆに挿入されることにより、第１コンタクト４と第２コンタクト５とは、ハウジング３の長手方向に沿って交互に配列される。
【００１７】
ここで、金属製の第１コンタクト４は、図５に示すように、ハウジング３の上壁３ｇと下壁３ｈとの間に嵌合される基部４ｆと、基部４ｆからハウジング３の下壁３ｈに沿って延出し先端部に第１接点部４ａが形成されたコンタクト片４ｇと、基部４ｆからハウジング３の上壁３ｇに沿って上方開口部３ｂまで延出し後述のレバー６の第１カム部６ｃに係合する断面Ｕ字状の第１枢子部４ｂが形成された枢支片４ｈとを備えている。つまり、コンタクト片４ｇはＦＰＣ受入部３ａの下側に配設され、枢支片４ｈはＦＰＣ受入部３ａの上側に配設される。第１コンタクト４は、基部４ｆの上側縁に突起部４１ｆが設けられており、第１の孔３ｅ内で当該突起部４１ｆをハウジング３の上壁３ｇに喰い込ませることで、ハウジング３に固定されている。また、第１コンタクト４は、基部４ｆの下側縁から下向きにストッパ４ｃが突出して形成されており、第１コンタクト４のハウジング３に対する挿入量を規制している。ここで、ストッパ４ｃは、一部がハウジング３の下面よりも突出しており、当該一部が表面実装用の外部接続用端子部を兼ねている。
【００１８】
ここで、コンタクト片４ｇは、弾性変形が可能に形成されており、ＦＰＣ２が挿入されると下方に弾性変形して上方への付勢力が働くようになっている。一方、枢支片４ｈは、先端部の第１枢子部４ｂが上下方向に弾性変形が可能となるように形成されている。ここで、第１枢子部４ｂは、第１接点部４ａよりも後方に所定の距離だけ離して配置されている。
【００１９】
一方、金属製の第２コンタクト５は、図６に示すように、ハウジング３の上壁３ｇと下壁３ｈとの間に嵌合される基部５ｆと、基部５ｆからハウジング３の下壁３ｈに沿って延出し略中央部に第２接点部５ａが形成されたコンタクト片５ｇと、基部５ｆからハウジング３の上壁３ｇに沿って上方開口部３ｂまで延出し後述のレバー６の第２カム部６ｆに係合してレバー６を枢支する第２枢子部５ｂが形成された枢支片５ｈとを備えている。つまり、コンタクト片５ｇはＦＰＣ受入部３ａの下側に配設され、枢支片５ｈはＦＰＣ受入部３ａの上側に配設される。第２コンタクト５は、基部５ｆの上側縁に突起部５１ｆが設けられており、第２の孔３ｆ内で当該突起部５１ｆをハウジング３の上壁３ｇに当接してハウジング３に固定されている。コンタクト片５ｇには、略中央部に第２接点部５ａが形成されているとともに、下側縁から下向きにストッパ５ｃが突出して形成されており、第２コンタクト５のハウジング３に対する挿入量を規制している。ここで、ストッパ５ｃは、一部がハウジング３の下面よりも突出しており、当該一部が表面実装用の外部接続用端子部を兼ねている。
【００２０】
上述の枢支片５ｈの先端には、第１枢支部４ｂの根元部４ｉよりも厚い根元部５ｉを有しレバー６がＦＰＣ２を押圧する位置にあるときに後述の第２カム部６ｆに係合する第２枢支部５ｂが設けられている。従って、第２枢支部５ｂは、根元部５ｉが厚い分、第１枢支部４ｂよりも上下方向に弾性変形しにくくなっている。第２コンタクト５の第２枢支部５ｂの先端部に、凸部５ｅが設けられており、当該凸部が後述の第２貫通孔６ｅに挿入された第２枢支部５ｂが第２貫通孔６ｅから抜けないように係止する役割をすることで、ＦＰＣ２を押圧しない位置でレバー６を係止することができる。また、第２枢支部５ｂの先端部の下部、即ち、凸部５ｅの下部には、レバー６がＦＰＣ２を押圧しない位置にあるときに後述の第２カム部６ｆを係合する係合面５ｄが形成されている。更に、当該係合面５ｄの後方には、レバー６がＦＰＣ２を押圧する位置にあるときに後述の第２カム部６ｆに当接する段差状の当接面５ｊが形成されている。また、第２枢支部５ｂは、第２接点部５ａよりも前方に所定の距離だけ離して配置されている。
【００２１】
しかして、第１コンタクト４と第２コンタクト５をハウジング３に配設した状態では、第１枢支部４ｂと第２枢支部５ｂとが交互にハウジング３の長手方向に沿って一列に配置されることになり、第１接点部４ａが第１枢子部４ｂから前方に所定の距離だけ離して配置され、第２接点部５ａが第２枢子部５ｂから後方に所定の距離だけ離して配置されることになる。つまり、ハウジング３へのＦＰＣ２の挿入方向において第１接点部４ａが手前側に配置され、第２接点部５ａが奥側に配置される。そして、ＦＰＣ２がハウジング３に挿入された状態では、ハウジング３の長手方向に各一列に配列された複数の第１接点部４ａおよび第２接点部５ａが、ＦＰＣ２の表面に露出しＦＰＣ２の挿入方向とは直交する方向に配列された複数の導体パターンと接触する。
【００２２】
レバー６は、合成樹脂で形成されており、ハウジング３の上方開口部３ｂに配置され、長手方向の両端面から突出する枢支軸６ａ，６ａは、レバー６の回動に伴って回動する。ここで、レバー６に形成された後述の第１カム部６ｃと第２カム部６ｆとは、枢支軸６ａ，６ａと同軸上に配置される。また、ハウジング３の長手方向の両側壁３ｉ，３ｉの内側には両側壁３ｉ，３ｉを補強するための補強用金具３０，３０が配設されており、レバー６の長手方向の両端に形成された枢支軸６ａ，６ａは、補強用金具３０，３０の上端縁に段差を設けることで形成された軸受部３ｃ，３ｃに載置される。
【００２３】
また、レバー６には、長手方向に沿って第１コンタクト４の第１枢支部４ｂに対応する位置に複数の第１貫通孔６ｂが設けられている。更に、レバー６の端縁と第１貫通孔６ｂとの間には、レバー６の回動に伴って回動する上述の第１カム部６ｃが形成されている。ここで、第１枢支部４ｂが第１カム部６ｃに係合することで、レバー６が第１枢支部４ｂにより回動自在に支持される。
【００２４】
また、レバー６には、長手方向に沿って第２コンタクト５に設けた第２枢支部５ｂに対応する位置に複数の第２貫通孔６ｅが設けられている。ここで、レバー６の第２貫通孔６ｅの周辺部分の厚さは、レバー６の他の部分よりも厚く形成されており、ＦＰＣ２を接点部４ａ，５ａ側へ押圧するＦＰＣ押圧部６ｈを構成している。また、レバー６の端縁と第２貫通孔６ｅとの間には、レバー６の回動に伴って回動する上述の第２カム部６ｆが形成されている。ここで、第２枢支部５ｂは、ＦＰＣ押圧部６ｈがＦＰＣ２を押圧しているときには、当接面５ｊが第２カム部６ｆの上方に当接しレバー６を係止し、ＦＰＣ押圧部６ｈがＦＰＣ２を押圧しないときには、第２貫通孔６ｅに挿入された形で第２カム部６ｆに係合することで、レバー６が第２枢支部５ｂにより回動自在に支持されている。更に、レバー６のＦＰＣ押圧部６ｈが形成された面とは反対側の外側面には、レバー６がＦＰＣ２を押圧しない位置にあるときにＦＰＣ２の表面と略平行する傾斜面６ｄが形成されている。
【００２５】
しかして、レバー６は、第１カム部６ｃに第１コンタクト４の第１枢支部４ｂが係合し、枢支軸６ａ，６ａが軸受部３ｃ，３ｃに載置されることによってハウジング３に対して起伏自在に支持されている。
【００２６】
ハウジング３にＦＰＣ２を挿入し、レバー６を、ＦＰＣ２を押圧する位置まで回動させると、レバー６のＦＰＣ押圧部６ｈが、ＦＰＣ２を押圧し、ＦＰＣ２の導体パターンと第１接点部４ａおよび第２接点部５ａとが適度の接圧で当接して電気的に接続される。つまり、ＦＰＣ２が、レバー６のＦＰＣ押圧部６ｈと第１接点部４ａおよび第２接点部５ａとの間に挟持されることとなり、ＦＰＣ２の厚さ分だけコンタクト片４ｇが下方に弾性変形し、その弾力によって適度の接圧が得られるようになっている。
【００２７】
ハウジング３には、図２に示すように、長手方向の両側壁３ｉ，３ｉの内側に孔３ｋ，３ｋが形成されており、当該孔３ｋ，３ｋには補強用金具３０，３０が挿入される。ここで、補強用金具３０は、上部が上下方向に２段の階段状に形成されており、各段部が枢支軸６ａを支持する軸受部３ｃとレバー６をハウジング３に組み付けるときにレバー６の枢支軸６ａを保持する仮保持部３０ｂとを構成している。ここで、軸受部３ｃと仮保持部３０ｂとの間を傾斜状に形成することで軸受部３ｃを仮保持部３０ｂから軸受部３ｃへ案内するガイド部３０ｃが設けられている。
【００２８】
ところで、ハウジング３の両側壁３ｉ，３ｉの内側には補強用金具３０，３０が挿入される孔３ｋ，３ｋと、孔３ｋ，３ｋとはハウジング３の長手方向の内側に隣接する形でガイドリブ３ｊ，３ｊが形成されている。ここで、ガイドリブ３ｊは、ハウジング３の下壁３ｈと下壁３ｈとは直交するハウジング３の周壁３ｌと間に後方ほど突出量が大きくなるように傾斜した形で形成されている。
【００２９】
ここで、レバー６をハウジング３に組み付ける手順について図７に基づいて詳細に説明する。図７（ａ）〜（ｅ）は、レバー６をハウジング３に組み付ける手順を示したものであり、各図において、左側はハウジング３の長手方向における補強用金具３０の位置でハウジング３の長手方向とは直交する断面方向に一部破断した側面図であり、右側はハウジング３の長手方向におけるレバー６の第２カム部６ｆの位置でハウジング３の長手方向とは直交する断面方向に一部破断した側面図である。
【００３０】
レバー６は、図７（ａ）に示すように、倒した状態で補強用金具３０，３０の仮保持部３０ｂ，３０ｂに枢支軸６ａ，６ａが載置された形でＦＰＣ２の挿入方向にハウジング３に挿入される。
【００３１】
そして、図７（ｂ）に示すように、補強用金具３０，３０がレバー６の第２カム部６ｆと第２コンタクト５の第２接点部５ａとが近接する位置まで挿入されると、図３に示すように、レバー６の一部がガイドリブ３ｊ，３ｊの傾斜面に当接する。ここで、更に補強金具３０，３０をＦＰＣ２の挿入方向に挿入していくと、図７（ｃ）に示すように、レバー６はガイドリブ３ｊ，３ｊの傾斜面に沿って上方へ持ち上げられる。
【００３２】
更に、補強用金具３０，３０を挿入すると枢支軸６ａ，６ａの外周側面がハウジング３の下壁３ｈとは直交する周壁３ｌに当接し、更に補強用金具３０，３０を挿入していくと、図７（ｄ）に示すように、枢支軸６ａ，６ａが仮保持部３０ｂ，３０ｂからガイド部３０ｃ，３０ｃに沿って上方へ移動するとともにレバー６が上方へ持ち上げられる。
【００３３】
更に、図７（ｅ）に示すように、補強用金具３０，３０を正規の位置まで挿入すると、枢支軸６ａ，６ａが軸受部３ｃ，３ｃに載置された状態になる。ここで、レバー６の第１カム部６ｃは、レバー６が上方へ持ち上がるとともに第１枢支部４ｂの開口側から挿入され、補強用金具３０，３０を正規の位置まで挿入されたときに、第１枢支部４ｂに係合される。
【００３４】
しかして、レバー６の第２カム部６ｆと第２コンタクト５の第２接点部５ａとの接触を防止するので、第２接点部５ａにレバー６の第２カム部６ｆの接触により発生した樹脂粉が付着することが無く、ＦＰＣ２と第２コンタクト５との接触不良を低減し、コネクタ１の接続信頼性を向上させることができる。
【図面の簡単な説明】
【００３５】
【図１】本実施形態のコネクタを示し、（ａ）はレバー組み付け時の一部破断した側面図、（ｂ）は全体斜視図である。
【図２】同上の要部斜視図である。
【図３】同上の要部断面図である。
【図４】同上の要部正面図である。
【図５】同上の一部破断した側面図である。
【図６】同上の一部破断した側面図である。
【図７】同上のレバーを組み付ける手順を示した一部破断した側面図である。
【図８】従来例を示し、（ａ）はレバーを起こした状態の斜視図、（ｂ）はレバーを倒した状態の斜視図である。
【図９】同上の断面図である。
【図１０】他の従来例を示し、（ａ）は分解斜視図、（ｂ）は一部破断した側面図である。
【符号の説明】
【００３６】
１  コネクタ
２  フレキシブルプリント配線板（ＦＰＣ）
３  ハウジング
３ｃ  軸受部
３ｊ  ガイドリブ
４  コンタクト（第１コンタクト）
４ａ  接点部（第１接点部）
４ｂ  枢支部（第１枢支部）
５  コンタクト（第２コンタクト）
５ａ  接点部（第２接点部）
５ｂ  枢支部（第２枢支部）
６  レバー
６ｂ  第１貫通孔
６ｃ  第１カム部
６ｅ  第２貫通孔
６ｆ  第２カム部
６ａ  枢支軸
３０  補強用金具
【図１】
0004386129.tif 000002
【図２】
0004386129.tif 000003
【図３】
0004386129.tif 000004
【図４】
0004386129.tif 000005
【図５】
0004386129.tif 000006
【図６】
0004386129.tif 000007
【図７】
0004386129.tif 000008
【図８】
0004386129.tif 000009
【図９】
0004386129.tif 000010
【図１０】
0004386129.tif 000011